(57)【要約】【課題】板ガラス・プラスチック板等で、通風可能で強度もあり防犯性を高めそれに防虫性を持たせた金網入りの通風板ガラス・通風プラスチック板等の戸窓板を得る。【解決手段】板ガラス２等同材２枚の相対する位置に通風窓穴３を多数開け、その２枚の板で金網４を両面よりサンドイッチ状に挟み込みし一体化すると共に、金網４を防犯用電子回路５のセンサーとして働かせる一部品とし、通風可能で強度と防犯性それに防虫性を持たせた金網入り通風板ガラス１等の戸窓板とした。【選択図】図１
2005264704.tif 000002
【特許請求の範囲】
【請求項１】
板ガラスまたはアクリル等プラスチック材の板で、同材２枚の相対する位置に通風用の窓穴を多数開け、その２枚の板で金網等をサンドイッチ状に挟み込みした状態の一枚の板に成形し、通風可能にしたことを特徴とする金網入り通風板ガラス。
【請求項２】
金網入り通風板ガラス等に於いて、防犯等の目的でその網を感知用電子回路に於ける近接センサーやタッチセンサー等回路の一部品にして泥棒等感知可能にしたことを特徴とする請求項１記載の金網入り通風板ガラス。
【請求項３】
板ガラス等２枚を、軟らかい半融解状態を保つよう加熱しながら穴開け装置を並列配置して２枚の相対する位置に多数の同形状大窓穴を開け、一体化可能な温度に加熱した金網の両面より加圧・圧着して一体化すると共に冷却して一枚の板材に加工成形することを特徴とする請求項１記載の金網入り通風板ガラス等の製造方法。
【発明の詳細な説明】
【技術分野】
【０００１】  本発明は、金網入り板ガラスと通風性のある防虫網戸の双方に掛かる金網入り通風板ガラス等とその製造方法に関するものである。
【背景技術】
【０００２】  従来の金網やピアノ線入りの板ガラスは、補強・破損時の飛散防止等、板ガラスとして実用に共されている。また網戸は通風性・防虫性等の目的でナイロン等の軟らかい細目網で実用上十分であった。【０００３】  しかし、金網入り板ガラスは通風性がなく泥棒等が穴を開けて開錠し侵入することがある。また網戸は鼠でも簡単に破ることが可能で強度的に弱く防犯性に乏しく暑い夜間等窓を開けたままや網戸のままで風通しをよくして休みたいが不用心だという欠点があった。
【発明の開示】
【発明が解決しようとする課題】
【０００４】  上記欠点を改善するために、金網入り板ガラスは通風可能に、また網戸は丈夫な金網を使用して、双方一体化し通風可能で防虫性もあり防犯性を高めることにある。
【課題を解決するための手段】
【０００５】  本発明は、金網入り板ガラス等の板ガラス部に通風用の窓穴を多数開け、丈夫な金網を挟み込みした状態に補強すると共に金網を泥棒等感知用電子回路の一部品としたことを主要な特徴とする。
【発明の効果】
【０００６】  本発明の、金網入り通風板ガラス等は板ガラス部に通風用の窓穴を多数開け、丈夫な金網を挟み込み一体化すると共に金網を防犯用電子回路の一部品としたため、通風・補強・防犯と防虫効果という多くの利点があり、窓・戸に使用して暑い夜間等も風通しもあり安心して休めるようになった。
【発明を実施するための最良の形態】
【０００７】  本発明は、金網入りの通風板ガラス・通風プラスチック板で窓ガラス用等通風性があり強度もあるそれに防犯・防虫効果もある通風板ガラス・通風プラスチック板が実現した。
【実施例１】
【０００８】  図１は、金網入り通風板ガラス１の部分拡大斜視図で全体は用途により異なるが一般的な窓・戸用のものが多い。【０００９】  板ガラス２に開けた通風窓穴３の形状・大きさ・数・位置は自由である、また挟み込みした状態の金網４はステンレススチール・鋼・真鍮・カーボン等の導電材で各パンチング板でもよいが採光の意味から線材を使用した網にした。【００１０】  板材がガラスかプラスチックかと、強度・防犯性・防虫性等用途により、網の仕様を選ばなければならない、本実施例ではガラス材にステンレススチール材の線径０・５ｍｍで蚊等の虫が通過できないメッシュの網を使用したが、用途によっては異なる網を２重に挟み込みすることも可能である。
【実施例２】
【００１１】  図２は、泥棒等の感知用電子回路５と金網入り通風板ガラス１等との防犯関係を示す説明図で、リード線６は金網４に接続され、金網４は感知用電子回路５のセンサーとして働く部品としたもので、泥棒等が侵入しようとして接近・接触すると電子回路が作動して外部信号線７より出力信号を出し、ブザー・音声・照明点灯・写真撮影等々の方法で泥棒を退陣させようとするものである。ここでは感知用電子回路５は本発明の主体でないため詳細説明は省略する。【００１２】  この防犯方法は従来の金網入り板ガラスにも適用可能である、また一般の窓・戸にも必要部位に同様の導電材を配置して防犯に役立てることも可能である。
【実施例３】
【００１３】  図３は、本発明の金網入り通風板ガラス１の製造方法の主要部説明用の側面図である。【００１４】  板ガラス２′・２″の２枚を複数箇所のバーナー部１１で加熱して半融解状態を保ちながらパンチングプレス機または吸引穴開け機等の穴開け装置８′・８″を並列配置して多数の通風窓穴３′・３″を開け、金網４も一体化可能な温度にバーナー部１１で加熱しながら各々送りローラー部９にて移動させ加圧ローラー部１０で加圧・圧着して一体化し冷風ファン部１２で冷却し金網入り通風板ガラス１を製造する方法である。【００１５】  アクリル等プラスチック材での製造方法もガラス材とほぼ同様であるが、半融解温度がガラス材より低いため、通風窓穴開けを加圧・圧着後に吸引穴開け機で行っても良い、また加圧・圧着時に接着剤を使用しても良い。【００１６】  本製造方法は、板ガラスまたはプラスチック板そのものの製造工程に上記加工・成形工程を繰り入れるのが望ましい。
【産業上の利用可能性】
【００１７】  本発明の、金網入りの通風板ガラス・通風プラスチック板は、通風性以外に通水性・通音性等を利用する用途にも適用できる。
【図面の簡単な説明】
【００１８】
【図１】金網入り通風板ガラス１の部分拡大斜視図である。（実施例１）
【図２】感知用電子回路５と金網４の防犯関係の説明図である。（実施例２）
【図３】金網入り通風板ガラス１の製造方法主要部説明用の側面図である。（実施例３）
【符号の説明】
【００１９】    １  金網入り通風板ガラス
２  （２′・２″）板ガラス（プラスチック板含）
３  （３′・３″）通風窓穴
４  金網
５  感知用電子回路
６  リード線
７  外部信号線
８′・８″  穴開け装置
９  送りローラー部
１０  加圧ローラー部
１１  バーナー部
１２  冷風ファン部
【図１】
2005264704.tif 000003
【図２】
2005264704.tif 000004
【図３】
2005264704.tif 000005
【手続補正書】
【提出日】平成16年3月26日(2004.3.26)
【手続補正１】
【補正対象書類名】図面
【補正対象項目名】全図
【補正方法】変更
【補正の内容】
【図１】
2005264704.tif 000006
【図２】
2005264704.tif 000007
【図３】
2005264704.tif 000008
【手続補正書】
【提出日】平成16年9月30日(2004.9.30)
【手続補正１】
【補正対象書類名】明細書
【補正対象項目名】全文
【補正方法】変更
【補正の内容】
【発明の詳細な説明】
【技術分野】
【０００１】  本発明は、金網入り板ガラスと通風性のある防虫網戸の双方に掛かる金網入り通風板ガラス等の戸窓板とその製造方法に関するものである。
【背景技術】
【０００２】  従来の金網やピアノ線入りの板ガラスは、補強・破損時の飛散防止等、板ガラスとして実用に共されている、また網戸は通風性・防虫性等の目的でナイロン等の軟らかい細目網で実用上十分であった。【０００３】  しかし、金網入り板ガラスは通風性がなく泥棒等が穴を開けて開錠し侵入することがある、また網戸は鼠でも簡単に破ることが可能で強度的に弱く防犯性に乏しく暑い夜間等窓を開けたままや網戸のままで風通しをよくして休みたいが不用心だという欠点があった。
【発明の開示】
【発明が解決しようとする課題】
【０００４】  上記欠点を改善するために、金網入り板ガラスは通風可能に、また網戸は丈夫な金網を使用して、双方一体化し通風可能で防虫性もあり防犯性を高めることにある。
【課題を解決するための手段】
【０００５】  本発明は、金網入り板ガラス等の板ガラス部（プラスチック板等含）に通風用の窓穴を多数開け、丈夫な金網を挟み込みした状態に補強すると共に金網を泥棒等感知用電子回路の一部品としたことを主要な特徴とする。
【発明の効果】
【０００６】  本発明の、金網入り通風板ガラス等は板ガラス部（プラスチック板等含）に通風用の窓穴を多数開け、丈夫な金網を挟み込み一体化すると共に金網を防犯用電子回路の一部品としたため、通風・補強・防犯と防虫効果という多くの利点があり、戸・窓に使用して暑い夜間等も風通しもあり安心して休めるようになった。
【発明を実施するための最良の形態】
【０００７】  本発明は、金網入りの通風板ガラス・通風プラスチック板等で戸窓用等通風性があり強度・防犯・防虫効果もある金網入りの通風板ガラス・通風プラスチック板等が実現した。
【実施例１】
【０００８】  図１は、板ガラス材を使用した金網入り通風板ガラス１の部分拡大斜視図で全体は用途により異なるが一般的な戸・窓用のものが多い。【０００９】  板ガラス２の２枚の相対する位置に開けた通風窓穴３の形状・大きさ・数・位置は自由である、また挟み込みした状態の金網４はステンレススチール・鋼・真鍮・カーボン等の導電材で各パンチング板でもよいが採光の意味から線材を使用した網にした。【００１０】  板材がガラスかプラスチックか等と、強度・防犯性・防虫性等用途により、網の仕様を選ばなければならない、本実施例ではガラス材にステンレススチール材の線径０・５ｍｍで蚊等の虫が通過できないメッシュの網を使用したが、用途によっては異なる網を２重に挟み込みすることも可能である。
【実施例２】
【００１１】  図２は、泥棒等の感知用電子回路５と金網入り通風板ガラス１等との防犯関係を示す説明図で、リード線６は金網４に接続され、金網４は感知用電子回路５のセンサーとして働く部品としたもので、泥棒等が侵入しようとして接触すると電子回路が作動して外部信号線７より出力信号を出し、ブザー・音声・照明点灯・写真撮影等々の方法で泥棒を退陣させようとするものである。ここでは感知用電子回路５は本発明の主体でないため詳細説明は省略する。
【実施例３】
【００１２】  図３は、本発明の金網入り通風板ガラス１の製造方法の主要部説明用の側面図である。【００１３】  板ガラス２′・２″の２枚を複数箇所のバーナー部１１で加熱して半融解状態を保ちながらパンチングプレス機または吸引穴開け機等の穴開け装置８′・８″を並列配置して多数の通風窓穴３′・３″を開け、金網４も一体化可能な温度にバーナー部１１で加熱しながら各々送りローラー部９にて移動させ加圧ローラー部１０で加圧・圧着して一体化し冷風ファン部１２で冷却し金網入り通風板ガラス１を製造する方法である。【００１４】  プラスチック材での製造方法もガラス材とほぼ同様であるが、半融解温度がガラス材より低いため、通風窓穴開けを加圧・圧着後に吸引穴開け機で行っても良い、また加圧・圧着時に接着剤を使用しても良い。【００１５】  本製造方法は、板ガラスまたはプラスチック板そのものの製造工程に上記加工・成形工程を繰り入れるのが望ましいが、２枚の板を鋲・ネジ等で固定する一体化も可能である。
【産業上の利用可能性】
【００１６】  本発明の、金網入りの通風板ガラス・通風プラスチック板等は、戸・窓以外に通水性・通音性等を利用する用途にも適用できる。
【図面の簡単な説明】
【００１７】
【図１】金網入り通風板ガラス１の部分拡大斜視図である。（実施例１）
【図２】感知用電子回路５と金網４の防犯関係の説明図である。（実施例２）
【図３】金網入り通風板ガラス１の製造方法主要部説明用側面図である。（実施例３）
【符号の説明】
【００１８】  １        金網入り通風板ガラス（金網入り通風プラスチック板等含）
２        （２′・２″）板ガラス（プラスチック板等含）
３        （３′・３″）通風窓穴
４        金網
５        感知用電子回路
６        リード線
７        外部信号線
８′・８″穴開け装置
９        送りローラー部
１０      加圧ローラー部
１１      バーナー部
１２      冷風ファン部
【手続補正２】
【補正対象書類名】特許請求の範囲
【補正対象項目名】全文
【補正方法】変更
【補正の内容】
【特許請求の範囲】
【請求項１】
ガラス材・プラスチック材等の板材で、同材２枚の相対する位置に通風用の同形状大の窓穴を多数開け、その２枚の板で金網等をサンドイッチ状に挟み込みした状態の一枚の板に成形し、通風可能にしたことを特徴とする金網入り通風板ガラス等の戸窓板。
【請求項２】
金網入り通風板ガラス等に於いて、防犯等の目的でその金網を感知用電子回路に於けるタッチセンサー等の一部品にして泥棒等感知可能にしたことを特徴とする請求項１記載の金網入り通風板ガラス等の戸窓板。
【請求項３】
板ガラス等２枚を、軟らかい半融解状態を保つよう加熱しながら穴開け装置を並列配置して２枚の相対する位置に多数の同形状大の窓穴を開け、一体化可能な温度に加熱した金網の両面より加圧・圧着して一体化すると共に冷却して一枚の板材に加工成形することを特徴とする請求項１記載の金網入り通風板ガラス等の戸窓板の製造方法。